(57)【要約】【課題】  魚掛かりが容易に判別できるとともに、製作コストを低廉化することのできる釣用浮子を提供する。【解決手段】  発光体を装着可能とする釣り用の棒浮子であって、棒状の軸体２と、該軸体２の上端側に着脱可能に差し込み接続され、発光体３ａが連結される発光体用筒３と、一端側が前記軸体２の下端側に着脱可能に差し込み接続され他端側が棒浮子８の頂点に着脱可能に差し込み接続される筒体４と、前記筒体４と前記発光体用筒３との間で前記軸体２の長軸方向へスライド可能な有底筒状のフロート５を設けた。【選択図】図１
2017018083.tif 000002
【特許請求の範囲】
【請求項１】
釣用浮子のトップに設けられ、発光体を装着可能とするトップ部材であって、棒状の軸体と、該軸体の上端側に着脱可能に差し込み接続され、発光体が連結される発光体用筒と、一端側が前記軸体の下端側に着脱可能に差し込み接続され他端側が棒浮子の頂点に着脱可能に差し込み接続される筒体と、前記筒体と前記発光体用筒との間で前記軸体の長軸方向へスライド可能な有底筒状のフロートを備えたことを特徴とする釣用浮子のトップ部材。
【請求項２】
前記軸体が、その外周面に少なくとも２色を交互に着色した目盛りが施されていることを特徴とする請求項１に記載の釣用浮子のトップ部材。
【請求項３】
前記発光体用筒が透明部材からなることを特徴とする請求項１又は請求項２に記載の釣用浮子のトップ部材。
【請求項４】
前記発光体用筒の筒径を前記軸体に向けてテーパー状に拡径して形成したことを特徴とする請求項１〜３のいずれか１項に記載の釣用浮子のトップ部材。
【請求項５】
前記発光体用筒の筒径を前記軸体に向けてテーパー状に縮径して形成したことを特徴とする請求項１〜３のいずれか１項に記載の釣用浮子のトップ部材。
【発明の詳細な説明】
【技術分野】
【０００１】  本発明は、魚釣りに使用される釣用浮子に関し、とくに釣用浮子のトップに設けられ、発光体を装着可能とするトップ部材に関するものである。
【背景技術】
【０００２】  魚釣用の浮子はポリアミド樹脂材料（ナイロン）などの道糸に取り付けられ、ちょうど浮子の半分程度が水面上に出るよう、道糸の下方に保持されたオモリや、釣針、餌などの重さと浮きの浮力とを調整して用いる。例えば図４に示すように、水面Ｗに浮かぶ従来の浮子９１は、浮子止め９２に連結され、浮子止め９２の孔に道糸９３が通されている。道糸９３には浮き止めゴム９４が固定され浮き止め９２が道糸９３の上方に行かないよう、浮子より下の道糸の長さが決定されている。浮子止め９２の下方にはオモリ９５、よりもどし９６、ハリス９７、針９８が連結され、また浮き止め９２の上方の道糸９３は釣竿（図示せず）へ繋がっている。【０００３】  浮子は、その形状の違いから長軸状の棒浮子、玉形状の玉浮子、棒浮子と玉浮子の中間的な位置付けとなる唐辛子形状の唐辛子浮子等が用いられている。中でも棒浮子は魚のアタリに対する感度が高く、視認性が良い浮子として使用されている。【０００４】  魚釣用の浮子は、このように構成され、浮き止め９２より下方に連結された部品の重量と浮子９１の浮力バランスにより、浮子９１の半分程度が水面Ｗより上に出るよう、オモリ９５を調整して使用され、浮子の動きにより、魚掛かり（魚信）を判別している。【０００５】  池や川等のように水面の波立ちが少ない場所では、浮子９１が風などで揺れているのか、また魚が餌を食べた為に浮子９１が水面下に動いたのかは、浮子の動きが縦と横で動きの差がはっきりしているため、熟練者でなくとも魚掛かりを判別し易い。しかしながら海の磯、波止場など常に水面が波立つ所では、波により浮子９１が常に上下動しているため、魚が掛かった際の浮子の動きを熟知した熟練者でなければ、魚掛かりを判別し難かった。とくに夜間や浮きが遠方の時は、なおさら浮子の動きは判別し難いものであった。【０００６】  そこで、魚掛かりを判別し易い浮子として、従来から種々の浮子が提案されている。このような浮子として、例えば特許文献１には、夜間使用時に浮子のトップが容易に視認でき、かつ長時間の使用にも目が疲れ難い魚釣り用浮子、いわゆる電気浮子が知られている。【０００７】  また、例えば、特許文献２には、浮子の上下移動を明確化させ、魚掛かりを判別し易い浮子が先に開示されている。
【先行技術文献】
【特許文献】
【０００８】
【特許文献１】特開２０００−４１５５２号公報
【特許文献２】実用新案登録第３０４３５１６号公報
【発明の概要】
【発明が解決しようとする課題】
【０００９】  しかしながら、特許文献１や特許文献２に記載された浮子は、発光色の変化により魚掛かりを判別するため、水面が波立ち、月明かりで水面がキラキラと輝いた際に、発光体の変化は視認し難く、魚掛かりを判別することが困難であるという問題があった。また、電池等を搭載しているため、軸体の重量が増してオモリとの調整が困難となる上に、製作コストが嵩み、使用者にとって経済的でないという問題があった。【００１０】  本発明は、上記のような課題に鑑みなされたものであり、魚掛かりが容易に判別できるとともに、製作コストを低廉化することのできる釣用浮子のトップ部材を提供することを目的とする。
【課題を解決するための手段】
【００１１】  このため、本発明の釣用浮子は、釣用浮子のトップに設けられ、発光体を装着可能とするトップ部材であって、棒状の軸体と、該軸体の上端側に着脱可能に差し込み接続され、発光体が連結される発光体用筒と、一端側が前記軸体の下端側に着脱可能に差し込み接続され他端側が棒浮子の頂点に着脱可能に差し込み接続される筒体と、前記筒体と前記発光体用筒との間で前記軸体の長軸方向へスライド可能な有底筒状のフロートを備えたことを第一の特徴とする。【００１２】  前記軸体が、その外周面に少なくとも２色を交互に着色した目盛りが施されていることを第二の特徴とする。【００１３】  前記発光体用筒が透明部材からなることを第三の特徴とする。【００１４】  前記発光体用筒の筒径を前記軸体に向けてテーパー状に拡径して形成したことを第四の特徴とする。【００１５】  前記発光体用筒の筒径を前記軸体に向けてテーパー状に縮径して形成したことを第五の特徴とする。
【発明の効果】
【００１６】  本発明は以下の優れた効果を奏する。
（１）棒状の軸体と、軸体の上端側に設けられた発光体用筒と、軸体の下端側に設けられた筒体と、筒体と発光体用筒との間で軸体の軸方向へスライド可能な有底筒状のフロートを備えているため、魚が釣り針を咥えて道糸を引くことで、軸体が沈み込むとともに、軸体の頂部に連結された発光体がフロート内部に隠れて発光が視認できなくなり、魚掛かりを容易に判別することができる。とくに夜釣りにおいては、水面が輝いていたとしても、魚掛かりとともに発光体の光が急速に失われるため、判別性が非常に高い。
（２）少なくとも２色を交互に着色した目盛りが施された軸体が、フロート内部を上下にスライドするため、昼間の釣りの際には、目盛の変化により魚掛かりを容易に判別することができる。
（３）発光体用筒が透明部材で構成されているため、発光体の光が遮られることがなく透過し、発光体を視認し易い。
（４）発光体用筒、及び筒体が、着脱可能に設けられているため、接続される発光体、及び釣具部材のサイズに合わせることができる。
（５）発光体用筒を拡径又は縮径して形成したため、所望の発光体を差し込み接続することが可能となる。
【図面の簡単な説明】
【００１７】
【図１】本発明に係る釣用浮子のトップ部材を示した図である。
【図２】本発明に係る釣用浮子のトップ部材に用いられる発光体用筒の別形態を示す斜視図である。
【図３】本発明を装着した釣用浮子の挙動を説明する図である。
【図４】釣用浮子の従来例を説明する構成図である。
【発明を実施するための形態】
【実施例】
【００１８】  以下、本発明の実施の形態を図面に示す実施例に基づいて説明するが、本発明はこれに限定されるものではない。本明細書における上下方向とは、図１に示すようにトップ部材１が装着された釣用浮子８が、水面Ｗに浮遊した状態に基づいて記載する。すなわち、本明細書における上下方向は、軸体２の軸方向と一致する。【００１９】  本発明に係る釣用浮子８は、いわゆる棒浮きと呼ばれるもので、長軸状の形状を有しており、魚のアタリに際して水の抵抗を受けにくいため感度が良い。【００２０】  本発明に係るトップ部材１は、図１に示すように、棒状の軸体２と、軸体２の上端側に差し込み接続され、発光体３ａが連結される発光体用筒３と、軸体２の下端側に差し込み接続され、釣用浮子８が連結される筒体４と、筒体４と発光体用筒３との間で軸体２の軸方向へスライド可能な有底筒状のフロート５を備えている。波の穏やかな状況においてトップ部材１は、発光体用筒３側を上方向、筒体４側を下方向に向け、軸体２の軸が略鉛直方向に向いた状態で、釣用浮子８とともに水面Ｗに浮遊する。【００２１】  軸体２は、図１に示すように、細長中空管状の筒体であり、その上端に細長中空管状の発光体用筒３が、その下端に細長中空管状の筒体４が差し込み接続されている。発光体用筒３と筒体４は、軸体２の軸方向へスライドするフロート体５のストッパーとしての機能を備え、また発光体用筒３及び／または筒体４の差し込み位置を調節することにより、フロート５の稼働距離を調節することができる。また、軸体は、図１に示すように、フロート５と比較して長いサイズに形成され、浮遊した状態でその上端が、フロート５から突出するよう構成されている。【００２２】  軸体２、及びフロート５に用いる素材は特に限定されず、釣用に用いられる素材であれば、何れでも使用することができる。このような素材として、例えば炭素繊維、樹脂、アルミ、又は木材などが挙げられるが、できるだけ丈夫、かつ軽量な素材を用いるのが良い。軸体２の素材に木材を用いる場合は、比重の小さなバルサを用いるのが良い。バルサ等の木材を素材に用いる場合は、所望の軸体２の形状に成形した後、表面を目止めした上でペンキ塗装やクリア塗装を施し、表面を滑らかに形成するのが良い。丈夫な素材を用いて軸体２の径をできるだけ細く形成すれば、軸体２が水中で受ける粘性抵抗がより小さくなるため、よりスムーズにスライドさせることができる。また、軽量な素材を用いて軸体２を形成し、全体の質量をできるだけ小さくすれば、釣用浮子８の大きさをより小さくすることできるため、釣用浮子８が水中で受ける粘性抵抗がより小さくなり、より感度の良い釣用浮子とすることができる。【００２３】  軸体２の外周面には、図２、及び図３に示すように、少なくとも２色を交互に着色した目盛りが施されている。日中など発光体３ａを用いない際には、この目盛の移動により、魚掛かりを判別することが可能となる。【００２４】  発光体用筒３及び筒体４は、その素材を特に限定しないが、発光体用筒３に発光体３ａが差し込まれるよう構成されている点から、発光体３ａの発光が遮られないよう発光体用筒３は、その素材が透明部材であることが好ましい。コストパフォーマンスの観点���らは、透明樹脂製ゴムなどが最適である。また、発光体用筒３及び筒体４は、その内径が軸体２の直径と略同径に形成され、発光体用筒３及び筒体４の差し込み長さの調整が容易となり、フロート５の可動距離を所望の長さに調整することができる。【００２５】  また、発光体用筒３は、軸体２の上端に、その中ほどまで差し込まれ、軸体２とは反対側に発光体３ａが着脱可能に差し込まれる。そのため、図１に示すように、軸体２と発光体３ａの直径は、略同径となる。使用する発光体３ａの直径が軸体２の直径よりも大径の場合には、図２（ａ）に示すように、発光体用筒３の筒径を軸体２に向けてテーパー状に拡径して形成することで、軸体２に発光体３ａを備えることが可能となる。また、使用する発光体３ａの直径が軸体２の直径より小径の場合には、図２（ｂ）に示すように、発光体用筒３の筒径を軸体２に向けてテーパー状に縮径して形成することで、軸体２に発光体３ａを備えることが可能となる。テーパーは、図２に示すように、段階的なテーパー形状に形成しても良いが、一方向に向かって漸次拡径、もしくは縮径したテーパー形状（図示せず）としても良い。また、発光体用筒３の最大外径は、フロート５の内径よりも小径で、フロート５内へ侵入可能に構成されている。このように、両端の径が異なる発光体用筒３においては、種々のサイズの発光体３ａを取付けることが可能となる。【００２６】  発光体３ａは、既存の化学的蛍光発光体であるケミホタル（登録商標；株式会社ルミカ）、又はデンケミ（登録商標；株式会社ルミカ）を使用することを前提としている。これは、夜釣りにおいて、浮子の位置確認のための発光体として広く利用されていることから、これを流用して汎用性を高める観点からである。従って、発光体３ａとしてはこれに限定するものではなく、発光体用筒３に差し込み可能な棒状体であれば、種々の発光体を使用することが可能である。【００２７】  筒体４は、軸体２の下端に、その中ほどまで差し込まれ、軸体２とは反対側に釣用浮子８が着脱可能に差し込まれる。図３に示すように、釣用浮子８には、釣り針（図示せず）が連結された道糸６が連結されており、通常、釣りに使用される仕掛け部品が接続されている。道糸６は、水面Ｗから陸方向へ続き、釣り竿（図示せず）へと繋がっている。本明細書における釣具部材７とは、いわゆるサルカンなどを示し、筒体４と道糸６を接続する部材を示す。また、仕掛け部品とは、浮子釣りに用いられる様々な部品を示し、例えばオモリ、ハリス、針などが挙げられる。【００２８】  フロート５は、その素材を特に限定しないが、水面Ｗに浮遊するよう軽量性に優れ、コストパフォーマンスが良く、かつ一定の強度を有する素材であれば何れでも使用することができる。ただし、フロート５内へ発光体３ａがスライドした際、発光体３ａの発光を視認できないよう、透明材質でない、もしくは透明材質の外面もしくは、内面に着色加工が施されていることが好ましい。フロート５は、長軸状、かつ有底筒状に形成されている。フロート５の全長Ｌ１は、軸体２の全長Ｌ２より短い長さに形成されている。フロート５は、底に開孔５ａが設けられこの開孔５ａを軸体２が挿通し、軸体２とフロート５は互いにスライド可能��構成されている。開孔５ａの直径は、発光体用筒３、及び筒体４の外径より小となるサイズに形成されており、開孔５ａの周が発光体用筒３、もしくは筒体４に当接することで、フロート５のスライドが抑止される。【００２９】  次に、本発明に係る釣用浮子１の挙動について図３を参照して説明する。図３（Ａ）は、トップ部材８が釣用浮子８の頂部に備えられ、水面Ｗに浮遊した状態を示し、図３（Ｂ）は、魚掛かり時の状態を示す。水面Ｗに向かってキャスティングした後、２〜３分程度で釣用浮子８は、図３（Ａ）に示すように、軸方向に直立し水面Ｗに浮遊する。この際に、釣用浮子８は、いわゆる棒浮子であるため、その下端が水中にあるものの、上端は水面Ｗから数ｃｍほど突出した状態で直立する。上述したように、フロート５の全長Ｌ１は、軸体２の全長Ｌ２より短いため、軸体２の上端は、フロート５の上端から突出した状態となる。そのため、釣り人は、発光体３ａの発光を視認することができ、この状態で、釣り人は魚掛かりを待つ。【００３０】  図３（Ｂ）に示すように、魚が掛かった際には、魚が動き回って水中へ釣用浮子８が引き込まれるとともに、釣用浮子８に筒体４を介して接続された軸体２までも水中へ沈降する。したがって、フロート５の上端から突出していた軸体２がフロート５内へスライドして、発光体３ａがフロート５内へ隠れるため、発光体３ａの発光がフロート５に遮られる。この発光の喪失を釣り人が視認することで、釣り人は、魚掛かりを確実に、かつ俊敏に判別（察知）することが可能となる。また魚掛かりを確実、かつ俊敏に判別することができるため、例え初心者の釣り人であっても、ベテランと同じように釣果を挙げることができる。【００３１】  尚、本発明において各部の形状や構造等の設計変更、材質の転換及び使用態様の変更など、本発明の要旨を変更しない範囲において自由に変更することができる。例えば、フロート５の素材に木材等を使用する、また例えばフロート５の形状を縦長の楕円状とするなど、種々の改良を加え得ることができる。また、本発明に係る釣用浮子の使用場所は、海、湖、沼、又は河川等、どのような釣場であっても良く、特に限定するものではない。従って、本明細書において「水」とは対象とする釣場の水のことを指し、状況に応じて「海水」、「汽水」、および「淡水」のいずれの意味も含んでいる。
【符号の説明】
【００３２】１    トップ部材
２    軸体
３    発光体用筒
３ａ  発光体
４    筒体
５    フロート
５ａ  開孔
６    道糸
７    釣具部材
８    釣用浮子
９１  従来の浮子
９２  浮子止め
９３  道糸
９４  浮き止めゴム
９５  オモリ
９６  よりもどし
９７  ハリス
９８  針
【図１】
2017018083.tif 000003
【図２】
2017018083.tif 000004
【図３】
2017018083.tif 000005
【図４】
2017018083.tif 000006